【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
剪断力依存型の粘度特性を有する第１の液体現像剤を攪拌する第１の攪拌部、及び前記攪拌部で攪拌された前記第１の液体現像剤が供給される第１の現像ローラを有する第１の現像部と、
前記第１の現像部の前記第１の現像ローラにより現像される第１の感光体と、
剪断力依存型の粘度特性を有する前記第１の液体現像剤と異なる第２の液体現像剤を攪拌する第２の攪拌部、及び前記攪拌部で攪拌された前記第２の液体現像剤が供給される第２の現像ローラを有する第２の現像部と、
前記第２の現像部の前記第２の現像ローラにより現像される第２の感光体と、
前記第１の攪拌部の攪拌開始タイミングと前記第２の攪拌部の攪拌開始タイミングとを異ならせて前記第１の攪拌部と前記第２の攪拌部とを駆動させる制御部と、
を有することを特徴とするカラー画像形成装置。
【請求項２】
前記第１の液体現像剤を攪拌したときに攪拌により粘度が安定化する時間が、前記第２の液体現像剤を攪拌したときに攪拌により粘度が安定化する時間よりも長い場合、
前記制御部は、前記第１の液体現像剤の攪拌開始タイミングを前記第２の液体現像剤の攪拌開始タイミングよりも早くする請求項１に記載のカラー画像形成装置。
【請求項３】
前記第１の攪拌部は第１の攪拌スクリューであり、前記第２の攪拌部は第２の攪拌スクリューであり、
前記第１の攪拌スクリューの回転速度は、前記第２の攪拌スクリューの回転速度よりも早く回転させる請求項２に記載のカラー画像形成装置。
【請求項４】
表面に凹部を有し、前記第１の現像ローラに前記第１の液体現像剤を供給する第１のアニロクスローラと、
表面に前記第１のアニロクスローラの表面に形成された凹部と異なる容量の凹部を有し、前記第２の現像ローラに前記第２の液体液体現像剤を供給する第２のアニロクスローラと、
を有する請求項２または３に記載のカラー画像形成装置。
【請求項５】
前記第１の現像ローラと前記第１の感光体とを当接もしくは離間させる離接機構を有し、
前記第１の現像ローラは前記第１の攪拌部と連動して駆動させるとともに、前記制御部は、前記第１の攪拌部を駆動させて前記第１の液体現像剤の粘度を攪拌により安定化させた後、前記離接機構により前記第１の現像ローラと前記第１の感光体とを当接させる請求項１ないし３のいずれか１項に記載のカラー画像形成装置。
【請求項６】
前記第１の液体現像剤は、塩基性処理顔料を酸塩基相互作用により植物油に分散させた液体現像剤である請求項１ないし５のいずれか一項記載のカラー画像形成装置。
【請求項７】
前記第１の液体現像剤は、粘度（２５℃）が１００ｍＰａｓ〜１，５００ｍＰａｓである請求項６記載のカラー画像形成装置。
【請求項８】
剪断力依存型の粘度特性を有する前記第１の液体現像剤の攪拌を開始し、
前記第１の液体現像剤の攪拌を開始した後のタイミングで、剪断力依存型の粘度特性を有するとともに前記第１の液体現像剤よりも粘度を安定化させる時間の短い第２の液体現像剤の攪拌を開始し、
攪拌により前記第１の液体現像剤の粘度および前記第２の液体現像剤の粘度を安定化させ、
前記第１の液体現像剤の粘度が安定化した後に前記第１の液体現像剤を第１の現像ローラに供給して第１の感光体の潜像を現像させるとともに、前記第２の液体現像剤の粘度が安定化した後に前記第２の液体現像剤を第２の現像ローラに供給して第２の感光体の潜像を現像させることを特徴とするカラー画像形成方法。
【手続補正２】
【補正対象書類名】明細書
【補正対象項目名】０００７
【補正方法】変更
【補正の内容】
【０００７】
本発明のカラー画像形成装置は、剪断力依存型の粘度特性を有する第１の液体現像剤を攪拌する第１の攪拌部、及び前記攪拌部で攪拌された前記第１の液体現像剤が供給される第１の現像ローラを有する第１の現像部と、
前記第１の現像部の前記第１の現像ローラにより現像される第１の感光体と、
剪断力依存型の粘度特性を有する前記第１の液体現像剤と異なる第２の液体現像剤を攪拌する第２の攪拌部、及び前記攪拌部で攪拌された前記第２の液体現像剤が供給される第２の現像ローラを有する第２の現像部と、
前記第２の現像部の前記第２の現像ローラにより現像される第２の感光体と、
前記第１の攪拌部の攪拌開始タイミングと前記第２の攪拌部の攪拌開始タイミングとを異ならせて前記第１の攪拌部と前記第２の攪拌部とを駆動させる制御部と、
を有することを特徴とする。
【手続補正３】
【補正対象書類名】明細書
【補正対象項目名】０００８
【補正方法】変更
【補正の内容】
【０００８】
前記のカラー画像形成装置において、前記第１の液体現像剤を攪拌したときに攪拌により粘度が安定化する時間が、前記第２の液体現像剤を攪拌したときに攪拌により粘度が安定化する時間よりも長い場合、
前記制御部は、前記第１の液体現像剤の攪拌開始タイミングを前記第２の液体現像剤の攪拌開始タイミングよりも早くするものである。
【手続補正４】
【補正対象書類名】明細書
【補正対象項目名】０００９
【補正方法】変更
【補正の内容】
【０００９】
前記第１の攪拌部は第１の攪拌スクリューであり、前記第２の攪拌部は第２の攪拌スクリューであり、
前記第１の攪拌スクリューの回転速度は、前記第２の攪拌スクリューの回転速度よりも早く回転させるものである。
【手続補正５】
【補正対象書類名】明細書
【補正対象項目名】００１０
【補正方法】変更
【補正の内容】
【００１０】
前記のカラー画像形成装置において、表面に凹部を有し、前記第１の現像ローラに前記第１の液体現像剤を供給する第１のアニロクスローラと、
表面に前記第１のアニロクスローラの表面に形成された凹部と異なる容量の凹部を有し、前記第２の現像ローラに前記第２の液体液体現像剤を供給する第２のアニロクスローラと、
を有するものである。
【手続補正６】
【補正対象書類名】明細書
【補正対象項目名】００１１
【補正方法】変更
【補正の内容】
【００１１】
前記のカラー画像形成装置において、前記第１の現像ローラと前記第１の感光体とを当接もしくは離間させる離接機構を有し、
前記第１の現像ローラは前記第１の攪拌部と連動して駆動させるとともに、前記制御部は、前記第１の攪拌部を駆動させて前記第１の液体現像剤の粘度を攪拌により安定化させた後、前記離接機構により前記第１の現像ローラと前記第１の感光体とを当接させるものである。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
前記第１の液体現像剤は、塩基性処理顔料を酸塩基相互作用により植物油に分散させた液体現像剤である。
【手続補正１１】
【補正対象書類名】明細書
【補正対象項目名】００１６
【補正方法】変更
【補正の内容】
【００１６】
前記第１の液体現像剤は、粘度（２５℃）が１００ｍＰａｓ〜１，５００ｍＰａｓである。
【手続補正１２】
【補正対象書類名】明細書
【補正対象項目名】００１７
【補正方法】変更
【補正の内容】
【００１７】
本発明のカラー画像形成方法は、剪断力依存型の粘度特性を有する前記第１の液体現像剤の攪拌を開始し、
前記第１の液体現像剤の攪拌を開始した後のタイミングで、剪断力依存型の粘度特性を有するとともに前記第１の液体現像剤よりも粘度を安定化させる時間の短い第２の液体現像剤の攪拌を開始し、
攪拌により前記第１の液体現像剤の粘度および前記第２の液体現像剤の粘度を安定化させ、
前記第１の液体現像剤の粘度が安定化した後に前記第１の液体現像剤を第１の現像ローラに供給して第１の感光体の潜像を現像させるとともに、前記第２の液体現像剤の粘度が安定化した後に前記第２の液体現像剤を第２の現像ローラに供給して第２の感光体の潜像を現像させることを特徴とする。
【手続補正１３】
【補正対象書類名】明細書
【補正対象項目名】００１８
【補正方法】削除
【補正の内容】